(57)【要約】  ユーザ感情を電子媒体と関連付けるためのシステム、方法、デバイス、および装置について記載されている。デバイスのユーザとデバイスに統合された生体電位電極アレイとの間の接触が検出される。ユーザの皮膚電気データが生体電位電極アレイを介して取得される。取得された皮膚電気データに少なくとも部分的に基づいて、ユーザ感情が導出される。次いで、ユーザ感情は、電子媒体に関連付けられる。
2016509276.tif 000002
【特許請求の範囲】
【請求項１】
ユーザ感情を電子媒体に関連付ける方法であって、
デバイスのユーザと前記デバイスに統合された生体電位電極アレイとの間の接触を検出することと、
前記生体電位電極アレイを介して前記ユーザの皮膚電気データを取得することと、
前記取得された皮膚電気データに少なくとも部分的に基づいて前記ユーザ感情を導出することと、
前記ユーザ感情を前記電子媒体に関連付けることと
を備える方法。
【請求項２】
前記デバイスによる前記電子媒体のキャプチャを検出することと、
少なくとも部分的に前記キャプチャを検出することに応答して前記デバイスの前記ユーザと前記生体電位電極アレイとの間の前記接触を検出することと
をさらに備える、請求項１に記載の方法。
【請求項３】
前記デバイスによる前記電子媒体の再生を検出することと、
少なくとも部分的に前記再生を検出することに応答して前記デバイスの前記ユーザと前記生体電位電極アレイとの間の前記接触を検出することと
をさらに備える、請求項１に記載の方法。
【請求項４】
前記デバイスによる前記電子媒体の提示を検出することと、
少なくとも部分的に前記提示を検出することに応答して前記デバイスの前記ユーザと前記生体電位電極アレイとの間の前記接触を検出することと
をさらに備える、請求項１に記載の方法。
【請求項５】
前記デバイス上にインストールされたアプリケーションの起動を検出することと、
少なくとも部分的に前記起動を検出することに応答して前記デバイスの前記ユーザと前記生体電位電極アレイとの間の前記接触を検出することと
をさらに備える、請求項１に記載の方法。
【請求項６】
前記アプリケーションがカメラアプリケーションである、請求項５に記載の方法。
【請求項７】
重力に対する前記デバイスの配向を検出することと、
少なくとも部分的に前記配向を検出することに応答して前記デバイスの前記ユーザと前記生体電位電極アレイとの間の前記接触を検出することと
をさらに備える、請求項１に記載の方法。
【請求項８】
前記配向が横方向配向である、請求項７に記載の方法。
【請求項９】
前記皮膚電気データを取得することが、
前記検出された接触に少なくとも部分的に基づいて、前記生体電位電極アレイを動的に構成することと、
前記構成された生体電位電極アレイから前記皮膚電気データを取得することと
を備える、請求項１に記載の方法。
【請求項１０】
前記生体電位電極アレイを動的に構成することが、
前記生体電位電極アレイ内に第１の活性電極エリアを形成するために、少なくとも２つの隣接する電極タイルを電気的に結合すること
を備える、請求項９に記載の方法。
【請求項１１】
前記ユーザ感情を導出することが、
前記皮膚電気データを複数の感情状態のうちの１つに相関させること
を備える、請求項１に記載の方法。
【請求項１２】
前記ユーザ感情を前記電子媒体に関連付けることが、
前記ユーザ感情を前記電子媒体のメタデータとして保存すること
を備える、請求項１に記載の方法。
【請求項１３】
前記ユーザ感情を前記電子媒体に関連付けることが、
前記ユーザ感情を、前記電子媒体に関連付けられたスキーマで保存すること
を備える、請求項１に記載の方法。
【請求項１４】
前記デバイス上に、前記ユーザ感情を編集するためのユーザインターフェースを提示すること
をさらに備える、請求項１に記載の方法。
【請求項１５】
前記電子媒体が画像である、請求項１に記載の方法。
【請求項１６】
前記電子媒体がビデオである、請求項１に記載の方法。
【請求項１７】
前記電子媒体がオーディオ記録である、請求項１に記載の方法。
【請求項１８】
前記デバイスが携帯電話である、請求項１に記載の方法。
【請求項１９】
前記デバイスがカメラである、請求項１に記載の方法。
【請求項２０】
前記生体電位電極アレイが、
前記デバイスの１つの隅に、前記デバイスの少なくとも側端部に配置される一群の電極
を備える、請求項１に記載の方法。
【請求項２１】
前記生体電位電極アレイが、
複数の電極群を備え、各電極群が、前記デバイスの４隅のうちの異なる１つに配置され、各電極群が、前記デバイスの少なくとも側端部に配置されている
請求項１に記載の方法。
【請求項２２】
ユーザ感情を電子媒体に関連付けるためのデバイスが、
プロセッサと、
前記プロセッサと電子通信しているメモリと、
前記メモリに記憶された命令とを備え、前記命令が、
前記デバイスのユーザと前記デバイスに統合された生体電位電極アレイとの間の接触を検出し、
前記生体電位電極アレイを介して前記ユーザの皮膚電気データを取得し、
前記取得された皮膚電気データに少なくとも部分的に基づいて前記ユーザ感情を導出し、
前記ユーザ感情を前記電子媒体に関連付ける
ように前記プロセッサによって実行可能である、デバイス。
【請求項２３】
前記命令が、
前記デバイスによる前記電子媒体のキャプチャを検出し、
少なくとも部分的に前記キャプチャを検出することに応答して前記デバイスの前記ユーザと前記生体電位電極アレイとの間の前記接触を検出する
ようにさらに前記プロセッサによって実行可能である、請求項２２に記載のデバイス。
【請求項２４】
前記命令が、
前記デバイスによる前記電子媒体の再生を検出し、
少なくとも部分的に前記再生を検出することに応答して前記デバイスの前記ユーザと前記生体電位電極アレイとの間の前記接触を検出する
ようにさらに前記プロセッサによって実行可能である、請求項２２に記載のデバイス。
【請求項２５】
前記命令が、
前記デバイスによる前記電子媒体の提示を検出し、
少なくとも部分的に前記提示を検出することに応答して前記デバイスの前記ユーザと前記生体電位電極アレイとの間の前記接触を検出する
ようにさらに前記プロセッサによって実行可能である、請求項２２に記載のデバイス。
【請求項２６】
前記ユーザ感情を前記電子媒体に関連付けるための前記命令が、
前記ユーザ感情を前記電子媒体のメタデータとして保存する
ための命令を備える、請求項２２に記載のデバイス。
【請求項２７】
前記ユーザ感情を前記電子媒体に関連付けるための前記命令が、
前記ユーザ感情を、前記電子媒体に関連付けられたスキーマで保存する
ための命令を備える、請求項２２に記載のデバイス。
【請求項２８】
前記生体電位電極アレイをさらに備え、前記生体電位電極アレイが、
前記デバイスの１つの隅に、前記デバイスの少なくとも側端部に配置される一群の電極
を備える、請求項２２に記載のデバイス。
【請求項２９】
前記生体電位電極アレイをさらに備え、前記生体電位電極アレイが、
複数の電極群を備え、各電極群が、前記デバイスの４隅のうちの異なる１つに配置され、各電極群が、前記デバイスの少なくとも側端部に配置されている
請求項２２に記載のデバイス。
【請求項３０】
ユーザ感情を電子媒体に関連付けるための装置であって、
デバイスのユーザと前記デバイスに統合された生体電位電極アレイとの間の接触を検出するための手段と、
前記生体電位電極アレイを介して前記ユーザの皮膚電気データを取得するための手段と、
前記取得された皮膚電気データに少なくとも部分的に基づいて前記ユーザ感情を導出するための手段と、
前記ユーザ感情を前記電子媒体に関連付けるための手段と
を備える装置。
【請求項３１】
前記デバイスによる前記電子媒体のキャプチャを検出するための手段
をさらに備え、前記デバイスの前記ユーザと前記生体電位電極アレイとの間の前記接触を検出するための前記手段が、少なくとも部分的に前記キャプチャを検出することに応答して前記接触を検出する
請求項３０に記載の装置。
【請求項３２】
前記デバイスによる前記電子媒体の再生を検出するための手段
をさらに備え、前記デバイスの前記ユーザと前記生体電位電極アレイとの間の前記接触を検出するための前記手段が、少なくとも部分的に前記再生を検出することに応答して前記接触を検出する
請求項３０に記載の装置。
【請求項３３】
前記デバイスによる、前記ユーザに対する前記電子媒体の提示を検出するための手段
をさらに備え、前記デバイスの前記ユーザと前記生体電位電極アレイとの間の前記接触を検出するための前記手段が、少なくとも部分的に前記提示を検出することに応答して前記接触を検出する
請求項３０に記載の装置。
【請求項３４】
前記ユーザ感情を前記電子媒体に関連付けるための前記手段が、
前記ユーザ感情を前記電子媒体のメタデータとして保存するための手段
を備える、請求項３０に記載の装置。
【請求項３５】
前記ユーザ感情を前記電子媒体に関連付けるための前記手段が、
前記ユーザ感情を、前記電子媒体に関連付けられたスキーマで保存するための手段
を備える、請求項３０に記載の装置。
【請求項３６】
ユーザ感情を電子媒体に関連付けるためのコンピュータプログラム製品であって、前記コンピュータプログラム製品が非一時的コンピュータ可読媒体を備え、非一時的コンピュータ可読媒体が、
デバイスのユーザと前記デバイスに統合された生体電位電極アレイとの間の接触を検出し、
前記生体電位電極アレイを介して前記ユーザの皮膚電気データを取得し、
前記取得された皮膚電気データに少なくとも部分的に基づいて前記ユーザ感情を導出し、
前記ユーザ感情を前記電子媒体に関連付ける
ようにプロセッサによって実行可能な命令を記憶する、コンピュータプログラム製品。
【発明の詳細な説明】
【背景技術】
【０００１】
[0001]モバイルデバイスおよびワイヤレス通信システムは、音声、データなど、様々なタイプの電子通信コンテンツを提供するために広く展開されている。電子形態の通信（たとえば、電子メール、テキストメッセージ、ボイスメール、通話、画像、ビデオ、オーディオ記録、およびウェブページ）は、人々が便利に他人と交信し、対話することを可能にしたが、電子通信の豊かさは減じられた。
【０００２】
[0002]電子通信は、それらだけでは、概して、送信者の十分な感情状態を伝達しない。たとえば、調査は、所与のメッセージ中の感情コンテキストの少量が言葉（たとえば、電子通信の文面）によって伝達されることを示唆している。感情コンテキストのより多くの量は、声のトーンによって声で伝達される。さらに多くの量は、顔の表情および他のボディジェスチャーなど、非言語的コミュニケーションを使用して表される。電子通信に関して、コンテキスト作成者または送信者の感情コンテキストまたは感情状態は、通常、受信者によって誤解される。
【発明の概要】
【０００３】
[0003]説明する特徴は、一般に、ユーザ感情を電子媒体に関連付けるための１つまたは複数の改善されたシステム、方法、デバイス、および／または装置に関する。例示的な方法に従って、デバイスのユーザとデバイスに統合された生体電位電極アレイとの間の接触が検出される。ユーザの皮膚電気データ（electrodermal data）が生体電位電極アレイを介して取得される。取得された皮膚電気データに少なくとも部分的に基づいて、ユーザ感情が導出される。次いで、ユーザ感情は、電子媒体に関連付けられる。
【０００４】
[0004]ユーザ感情を電子媒体に関連付ける方法が記載されている。デバイスのユーザとデバイスに統合された生体電位電極アレイとの間の接触が検出され得る。ユーザの皮膚電気データが生体電位電極アレイを介して取得され得る。取得された皮膚電気データに少なくとも部分的に基づいて、ユーザ感情が導出され得、ユーザ感情は電子媒体に関連付けられ得る。
【０００５】
[0005]一実施形態では、電子媒体のキャプチャがデバイスによって検出され得る。デバイスのユーザと生体電位電極アレイとの間の接触は、少なくとも部分的にキャプチャを検出することに応答して検出され得る。電子媒体の再生がデバイスによって検出され得る。デバイスのユーザと生体電位電極アレイとの間の接触は、少なくとも部分的に再生を検出することに応答して検出され得る。電子媒体の提示がデバイスによって検出され得る。デバイスのユーザと生体電位電極アレイとの間の接触は、少なくとも部分的に提示を検出することに応答して検出され得る。さらに、デバイス上にインストールされたアプリケーションの起動が検出され得る。デバイスのユーザと生体電位電極アレイとの間の接触は、少なくとも部分的に起動を検出することに応答して検出され得る。一例では、アプリケーションはカメラアプリケーションである。
【０００６】
[0006]一構成では、重力に対するデバイスの配向が検出され得る。デバイスのユーザと生体電位電極アレイとの間の接触は、少なくとも部分的に配向を検出することに応答して検出され得る。配向は、横方向配向でもよい。
【０００７】
[0007]一実施形態では、皮膚電気データを取得することは、検出された接触に少なくとも部分的に基づいて、生体電位電極アレイを動的に構成し、構成された生体電位電極アレイから皮膚電気データを取得することを含み得る。生体電位電極アレイを動的に構成することは、生体電位電極アレイ内に第１の活性電極エリアを形成するために少なくとも２つの隣接する電極タイルを電気的に結合することを含み得る。
【０００８】
[0008]一例では、ユーザ感情を導出することは、皮膚電気データを複数の感情状態のうちの１つに相関させることを含み得る。ユーザ感情を電子媒体に関連付けることは、ユーザ感情を電子媒体のメタデータとして保存することを含み得る。ユーザ感情を電子媒体に関連付けることは、電子媒体に関連付けられたスキーマでユーザ感情を保存することをさらに含み得る。
【０００９】
[0009]一構成では、ユーザ感情を編集するために、ユーザインターフェースがデバイス上に提示され得る。電子媒体は、画像でもよい。電子媒体は、ビデオでもよい。電子媒体は、オーディオ記録でもよい。一例では、デバイスは、携帯電話でもよい。デバイスは、カメラでもよい。
【００１０】
[0010]一実施形態では、生体電位電極アレイは、デバイスの１つの隅に、デバイスの少なくとも側端部の１つに配置される一群の電極を含み得る。生体電位電極アレイは、複数の電極群を含み得、各電極群は、デバイスの４隅のうちの異なる１つに配置され、各電極群は、デバイスの少なくとも側端部の１つに配置されている。
【００１１】
[0011]ユーザ感情を電子媒体に関連付けるためのデバイスも記載されている。デバイスは、プロセッサと、このプロセッサと電子的に通信しているメモリとを含むことができる。デバイスは、メモリに記憶される命令をさらに含み得る。命令は、デバイスのユーザとデバイスに統合された生体電位電極アレイとの間の接触を検出し、生体電位電極アレイを介してユーザの皮膚電気データを取得し、取得された皮膚電気データに少なくとも部分的に基づいてユーザ感情を導出し、ユーザ感情を電子媒体に関連付けるようにプロセッサによって実行可能であり得る。
【００１２】
[0012]ユーザ感情を電子媒体に関連付けるための装置も記載されている。装置は、デバイスのユーザとデバイスに統合された生体電位電極アレイとの間の接触を検出するための手段と、生体電位電極アレイを介してユーザの皮膚電気データを取得するための手段と、取得された皮膚電気データに少なくとも部分的に基づいてユーザ感情を導出するための手段と、ユーザ感情を電子媒体に関連付けるための手段とを含み得る。
【００１３】
[0013]ユーザ感情を電子媒体に関連付けるためのコンピュータプログラム製品も記載されている。本コンピュータプログラム製品は非一時的コンピュータ可読媒体を含み得る。本媒体は、デバイスのユーザとデバイスに統合された生体電位電極アレイとの間の接触を検出し、生体電位電極アレイを介してユーザの皮膚電気データを取得し、取得された皮膚電気データに少なくとも部分的に基づいてユーザ感情を導出し、ユーザ感情を電子媒体に関連付けるようにプロセッサによって実行可能な命令を記憶し得る。
【００１４】
[0014]説明する方法および装置の適用性のさらなる範囲は、以下の詳細な説明、特許請求の範囲、および図面から明らかになろう。当業者には詳細な説明の趣旨および範囲内の様々な変更および改変が明らかになるので、詳細な説明および特定の例は、例示として与えられるものにすぎない。
【００１５】
[0015]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図面の簡単な説明】
【００１６】
【図１】[0016]ワイヤレス通信システムの一例のブロック図。
【図２】[0017]様々な実施形態による、ユーザ感情を電子媒体に関連付けるモバイルデバイスの第１の例のブロック図。
【図３】[0018]様々な実施形態による、ユーザ感情を電子媒体に関連付けるモバイルデバイスの第２の例のブロック図。
【図４】[0019]生体電位電極アレイと通信して、皮膚電気データを取得するための取得モジュールの第１の例のブロック図。
【図５】[0020]生体電位電極アレイと通信して、皮膚電気データを取得するための取得モジュールの第２の例のブロック図。
【図６】[0021]生体電位電極アレイと通信して、皮膚電気データを取得するための取得モジュールの第３の例のブロック図。
【図７】[0022]感情導出モジュールの一例のブロック図。
【図８】[0023]感情関連付けモジュールの一例のブロック図。
【図９】[0024]様々な実施形態による、ユーザ感情を電子媒体に関連付けるモバイルデバイスの第３の例のブロック図。
【図１０】[0025]生体電位電極アレイの第１の例のブロック図。
【図１１】[0026]生体電位電極アレイの第２の例のブロック図。
【図１２】[0027]生体電位アレイの電極タイルの例示的な収集のブロック図。
【図１３】[0028]生体電位電極アレイの動作状態を示すブロック図。
【図１４】[0029]ユーザ感情を電子媒体に関連付けるための方法の第１の例のフローチャート。
【図１５】[0030]デバイスのユーザと動的に構成可能な生体電位電極アレイとの間の接触を検出するための例示的な方法のフローチャート。
【図１６】[0031]ユーザの皮膚と電極タイルのうちの少なくとも２つとの間の接触を検出するために動的に構成可能な生体電位電極アレイの電極タイルをポーリングするための例示的な方法のフローチャート。
【図１７】[0032]ユーザ感情を電子媒体に関連付けるための方法の第２の例のフローチャート。
【発明を実施するための形態】
【００１７】
[0033]ユーザ感情を電子媒体と関連付けるためのシステム、方法、デバイス、および装置について記載されている。
【００１８】
[0034]いくつかの電子媒体について人がどのように感じるかに影響を与え得る要因がいくつかある。たとえば、デジタル写真では、写真について撮影者がどのように感じるかに影響を与える要素がいくつかある。これらの要因は、写真の主題を見ることに関連した感情（たとえば、「かわいい赤ちゃん」、「自分はこの人たちを愛している」）、写真が撮られる環境を経験することに関連した感情（たとえば、「今は長い休暇である」、「この岩から落ちてしまう前に急いで写真を撮った」）、写真の質に関連した感情（たとえば、「照明はちょうどいい」、「ぼやけすぎである」）、または写真を見るとき、他の誰かがどのように反応しそうかについての考え（たとえば、「友人を見せるのが待ち切れない」、「これが本当であるということを知ると私の友人は泣くだろう」）を含み得る。撮影者が受けた感情は、たとえば、幸福、悲しみ、興奮、恐れ、誇り、失望などを含み得る。しばしば、撮影者の感情は、たとえば撮影者の年齢、先入観、または文化など、撮影者の個人の特徴によって影響される。撮影者が写真についてどのように感じるかに影響を与える同じ要因の多くは、同様に、次の視聴者が写真についてどのように感じるかに影響を与える。しかしながら、次の視聴者は、完全に異なる１組の感情を経験し、写真についての異なる感覚を持つ可能性がある。実際、異なる１組の条件下で写真を見ると、撮影者でさえ、異なる感情を経験し、写真についての異なる感覚を持ち得る。
【００１９】
[0035]ソーシャルネットワーキングの出現で、写真および他のタイプの電子媒体（たとえば、デジタルビデオ）は、ユーザがオンラインで共有する主要なアイテムの１つになった。何人かの人々では、友人の輪によってソーシャルネットワーキングサイトにアップロードされる多数の写真をソートする、または、どの写真を残しておくかを決めることは、時間の足りない面倒な作業である。撮影者または視聴者が写真に関連付ける感情をキャプチャすることは、最も著しく撮影者または視聴者に影響を与えた写真を識別し、より大きい１組の写真をより容易に視聴可能な、管理可能な、または記憶可能なサブセットに抜き出す（distilling）ための基礎を提供する。撮影者または視聴者の感情をデジタル写真に関連付けることによって、次の視聴者が各自の感情を他人の感情と比較することもできる。
【００２０】
[0036]デジタル写真は、電子媒体の一例である。他のタイプの電子媒体は、たとえば、画像（写真がサブセットである）、ビデオ、およびオーディオ記録を含む。電子媒体は、たとえばカメラ、携帯電話、タブレット型コンピュータ、モバイル音楽プレーヤ、モバイルゲームコントローラ、ラップトップコンピュータなどのモバイルデバイス、またはデスクトップコンピュータ、テレビ、または静止表示画面などの静止デバイスにおいてキャプチャされ、提示され、または再生される。
【００２１】
[0037]１つまたは複数の感情は、ソーシャルネットワーキングまたはファイルソート以外の目的のために、電子媒体に関連付けられてもよい。たとえば、感情は、媒体の質を監視するために、またはどのタイプの媒体、画像、またはメッセージが人のより強い感情的な反応を誘発するかを決定するために、電子媒体に関連付けられ得る。後者の場合、広告主、ニュースキャスター、または他の媒体コンテンツプロバイダが視聴者またはリスナーに特定のタイプのコンテンツを向けることができるようにするために、感情は、キャプチャされ、電子媒体に関連付けられ得る。
【００２２】
[0038]いくつかの実施形態では、デバイスのユーザが受けた感情は、ユーザとデバイスに統合された生体電位電極アレイとの間の接触を検出し、ユーザの皮膚電気データを取得し、皮膚電気データに少なくとも部分的に基づいて、ユーザの感情（すなわち、「ユーザ感情」）を導出し、ユーザ感情を電子媒体に関連付けることによって電子媒体に関連付けられ得る。ユーザと生体電位電極アレイとの間の接触の検出は、たとえば、電子媒体のキャプチャ、提示、または再生の間に行われ得る。ユーザ感情は、ユーザ感情を電子媒体のメタデータとして保存することによって、または、電子媒体に関連付けられたスキーマでユーザ感情を保存することによって、電子媒体に関連付けられ得る。
【００２３】
[0039]いくつかの場合には、構成可能な生体電位電極アレイによって、デバイスのユーザの皮膚電気データが取得され得る。一例では、アレイは、ハンドヘルド電子通信デバイス、または他のモバイルデバイス（たとえば、携帯電話またはカメラ）の表面など、デバイスの表面エリア上に埋め込まれ得る。アレイは、いくつかの電極タイル（より広義にはいくつかの「電極」）を含み得る。電極は、デバイスユーザの皮膚電気データを収集するバイオセンサを含むことができる。一構成では、電極（およびそれらの関連するバイオセンサ）は、電極とユーザの皮膚との間の接触が検出されたとき、データの収集を開始するために活性化され得る。電極とユーザの皮膚との間の接触が終了した後、電極は不活性化され得る。不活性化された電極は皮膚電気データを収集し得ない。
【００２４】
[0040]いくつかの活性化電極の連続エリアが単一の電極として機能し得る。連続エリアは活性電極エリア（ＡＥＡ：active electrode area）と呼ばれることがある。ＡＥＡ内の電極はユーザの皮膚電気データを収集し得る。アレイは、アレイに沿った異なる位置に位置する１つまたは複数のＡＥＡを含み得る。たとえば、ユーザの皮膚は、（第１のＡＥＡを形成する）第１の電極群、および（第２のＡＥＡを形成する）別個の第２の電極群と接触していることがあり得る。第１のＡＥＡと第２のＡＥＡとは、アレイに沿って互いに隣接していないことがある。さらに、第１のＡＥＡと第２のＡＥＡとは生体電位電極アレイ内に同時にまたは非同時に存在し得る。
【００２５】
[0041]一構成では、アレイの電極がユーザの皮膚と接触しているかどうかを判断するために、または、接触がすでに存在する場合は、ユーザの皮膚と電極との間の接触が維持されているかどうかを判断するために、アレイの電極がルーチンでポーリングされ得る。電極のバイオセンサによって収集された皮膚電気データは、ユーザの感情状態を判断するために分析され得る。
【００２６】
[0042]以下の説明は、例を挙げるものであり、特許請求の範囲に記載される範囲、適用性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明される方法は、説明する順序とは異なる順序で実行されてよく、様々なステップが追加、省略、または組み合わせられてよい。また、いくつかの実施形態に関して説明される特徴は、他の実施形態において組み合わせられ得る。
【００２７】
[0043]ユーザ感情を電子媒体に関連付けるための開示されたシステム、方法、および装置は、様々なタイプのデバイスによってキャプチャ、提示され、または再生される電子媒体に適用され得る。しかしながら、本技法は、モバイルデバイス上でまたはモバイルデバイスによってキャプチャされ、提示され、または再生される電子媒体への適用に特によく適している。モバイルデバイスには、携帯電話およびワイヤレス通信デバイス、たとえばスマートフォンなどがあるが、携帯情報端末（ＰＤＡ）、タブレット、他のハンドヘルドデバイス、ネットブック、またはノートブックコンピュータも含み得る。
【００２８】
[0044]本明細書で説明する技法は、たとえばセルラーワイヤレスシステム、ピアツーピアワイヤレス通信、ワイヤレスローカルアクセスネットワーク（ＷＬＡＮ）、アドホックネットワーク、衛星通信システム、および他のシステムなど、様々なワイヤレス通信システムと通信することができるモバイルデバイスによって使用され得る。「システム」と「ネットワーク」という用語は、しばしば互換的に使用される。これらのワイヤレス通信システムは、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、および／または他の技術など、ワイヤレスシステムにおける多重接続のための様々な無線通信技術を使用し得る。一般に、ワイヤレス通信は、無線アクセス技術（ＲＡＴ）と呼ばれる１つまたは複数の無線通信技術の標準化された実装に従って実行される。無線アクセス技術を実施するワイヤレス通信システムまたはネットワークは、無線アクセスネットワーク（ＲＡＮ）と呼ばれ得る。
【００２９】
[0045]ＣＤＭＡ技法を使用する無線アクセス技術の例には、ＣＤＭＡ２０００、ユニバーサル地上無線アクセス（ＵＴＲＡ）などを含む。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。ＴＤＭＡシステムの例には、モバイル通信用グローバルシステム（ＧＳＭ（登録商標））の様々な実装がある。ＦＤＭＡおよび／またはＯＦＤＭＡを使用する無線アクセス技術の例には、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭがある。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上記のシステムおよび無線技術、ならびに他のシステムおよび無線技術を使用するデバイス上で使用され得る。
【００３０】
[0046]最初に図１を参照すると、ブロック図に、ワイヤレス通信システム１００の一例が示されている。システム１００は、基地局１０５（またはセル）と、モバイルデバイス１１５と、基地局コントローラ１２０と、コアネットワーク１２５とを含む（コントローラ１２０はコアネットワーク１２５に組み込まれ得る）。システム１００は、複数のキャリア（異なる周波数の波形信号）上での動作をサポートし得る。
【００３１】
[0047]基地局１０５は、基地局アンテナ（図示せず）を介してモバイルデバイス１１５とワイヤレス通信し得る。基地局１０５は、複数のキャリアを介して基地局コントローラ１２０の制御下でモバイルデバイス１１５と通信し得る。基地局１０５サイトの各々は、それぞれの地理的エリアに通信カバレージを与え得る。ここでは、各基地局１０５に対するカバレッジエリアは、１１０−ａ、１１０−ｂまたは１１０−ｃとして識別される。基地局に対するカバレッジエリアは、セクタ（図示されないが、カバレッジエリアの一部分だけを構成する）に分割され得る。システム１００は、異なるタイプの基地局１０５（たとえば、マクロ基地局、マイクロ基地局、および／またはピコ基地局）を含み得る。異なる技術のための重複カバレージエリアがあり得る。
【００３２】
[0048]モバイルデバイス１１５はカバレージエリア１１０全体にわたって分散され得る。モバイルデバイス１１５は、代わりに、移動局、アクセス端末（ＡＴ）、ユーザ機器（ＵＥ）、加入者局（ＳＳ）、または加入者ユニットと呼ばれることがある。モバイルデバイス１１５は、携帯電話とワイヤレス通信デバイスとを含み得るが、携帯情報端末（ＰＤＡ）、他のハンドヘルドデバイス、ネットブック、ノートブックコンピュータなどをも含み得る。
【００３３】
[0049]基地局１０５は、モバイルデバイス１１５のユーザが互いに通信することを可能にし得る。たとえば、モバイルデバイス１１５は、別のモバイルデバイスに電子通信（たとえば、電子メール、テキストメッセージ、ボイスメールメッセージ、画像、ビデオ、オーディオ記録など）を送り得る。異なるモバイルデバイス１１５のユーザはまた、それらのそれぞれのデバイスを使用してリアルタイム会話（すなわち、通話）と、ウェブブラウジングと、メディアキャプチャと、データ共有とに関与し得る。モバイルデバイス１１５が関与するアクティビティのうちのいくつか（たとえば、ウェブブラウジング）は、コアネットワークを介して到達可能なサーバとの電子通信を必要とし得る。
【００３４】
[0050]モバイル機器１１５によってキャプチャ、受信、検索、または送信されるデータの一部は、たとえば画像、ビデオ、オーディオ記録、またはウェブページなどの電子媒体という形をとり得る。電子媒体がモバイルデバイス１１５のうちの１つにおいてキャプチャ、提示、または再生されるとき、モバイルデバイスは、ユーザ感情を電子媒体に関連付けるために１つまたは複数のプロセスを実行することができる。次いで、電子媒体およびその関連するユーザ感情は、モバイルデバイス１１５のうちのもう一方、またはサーバに送信され得、ここでは、ユーザ感情は、すでに記載されている目的を含む、様々な目的のために使用され、または視聴され得る。
【００３５】
[0051]次に図２を見ると、ブロック図２００は、様々な実施形態による、ユーザ感情を電子媒体に関連付けるためのモバイルデバイス１１５−ａを示す。モバイルデバイス１１５−ａは、パーソナルコンピュータ（たとえば、ラップトップコンピュータ、ネットブックコンピュータ、タブレットコンピュータなど）、モバイルまたは携帯電話、ＰＤＡ、デジタルビデオレコーダ（ＤＶＲ）、インターネットアプライアンス、ゲームコンソール、電子リーダーなどのような、様々な構成のいずれかを有し得る。モバイルデバイス１１５−ａは、モバイル動作を支援するために、小さなバッテリーのような内部電源を有し得る。いくつかの実施形態では、モバイルデバイス１１５ーａは、図１のモバイルデバイス１１５の一例であり得る。モバイルデバイス１１５−ａはマルチモードモバイルデバイスであり得る。
【００３６】
[0052]モバイルデバイス１１５−ａは、アンテナ２０５と、トランシーバモジュール２１０と、メモリ２１５と、プロセッサモジュール２２０とを含み得、その各々は、（たとえば、１つまたは複数のバスを介して）互いに直接または間接的に通信していることがある。送受信機モジュール２１０は、上で説明されたように、アンテナ２０５ならびに／あるいは１つまたは複数の有線リンクもしくはワイヤレスリンクを介して、１つまたは複数のネットワークと双方向に通信するように構成される。たとえば、トランシーバモジュール２１０は、図１の基地局１０５と双方向に通信するように構成され得る。トランシーバモジュール２１０は、パケットを変調し、変調されたパケットを送信のためにアンテナ２０５に与え、アンテナ２０５から受信されたパケットを復調するように構成された、モデムを含み得る。モバイルデバイス１１５−ａは単一のアンテナを含み得るが、モバイルデバイス１１５−ａは、一般に、複数のリンクのための複数のアンテナ２０５を含む。
【００３７】
[0053]メモリ２１５は、ランダムアクセスメモリ（ＲＡＭ）および読取り専用メモリ（ＲＯＭ）を含み得る。メモリ２１５は、実行されるとプロセッサモジュール２２０に様々な機能を実行させるように構成された命令を格納する、コンピュータ可読の、コンピュータ実行可能ソフトウェアコード２２５を記憶することができる。代替的に、ソフトウェアコード２２５は、プロセッサモジュール２２０によって直接的に実行可能でないことがあるが、（たとえば、コンパイルされ実行されると）コンピュータに本明細書で説明する機能を実施させるように構成され得る。
【００３８】
[0054]プロセッサモジュール２２０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などを含み得る。プロセッサモジュール２２０は、マイクロフォンを介してオーディオを受信し、そのオーディオを、受信したオーディオを表す（たとえば、長さ３０ｍｓの）パケットに変換し、そのオーディオパケットを送受信機モジュール２１０に供給し、ユーザが話しているかどうかの指示を与えるように構成された音声エンコーダ（図示せず）を含み得る。代替的に、エンコーダはパケットを送受信機モジュール２１０に供給することのみができ、パケット自体の供給または抑制／抑圧が、ユーザが話しているかどうかの指示を与える。
【００３９】
[0055]図２のアーキテクチャによれば、モバイルデバイス１１５−ａは、通信管理モジュール２３０をさらに含み得る。通信管理モジュール２３０は、他のモバイルデバイス１１５との通信を管理し得る。例として、通信管理モジュール２３０は、バスを介してモバイルデバイス１１５−ａの他の構成要素の一部またはすべてと通信しているモバイルデバイス１１５−ａの構成要素であり得る。代替的に、通信管理モジュール２３０の機能は、送受信機モジュール２１０の構成要素として、コンピュータプログラム製品（たとえばソフトウェア）として、および／またはプロセッサモジュール２２０の１つまたは複数のコントローラ要素として実装され得る。
【００４０】
[0056]いくつかの実施形態では、ハンドオーバモジュール２３５は、再選択手順と、ある基地局１０５から別の基地局へのモバイルデバイス１１５−ａのハンドオーバ手順とを実行するために利用可能である。たとえば、ハンドオーバモジュール２３５は、シグナリング搬送波から別のシグナリング搬送波への、あるトラフィック搬送波から別のトラフィック搬送波への、かつシグナリング搬送波とトラフィック搬送波との間のモバイルデバイス１１５−ａのハンドオーバ手順を実行することができる。
【００４１】
[0057]デバイス１１５−ａは、メディアキャプチャモジュール２４０、メディアプレゼンテーションモジュール２４５、メディア再生モジュール２５０、またはウェブブラウザモジュール２５５のうちの１つまたは複数を含み得る。これらのモジュールは、バスを介してモバイルデバイス１１５−ａの他の構成要素の一部またはすべてと通信しているモバイルデバイス１１５−ａの構成要素であり得る。代替的に、これらのモジュールのうちのいずれかまたはすべての機能は、送受信機モジュール２１０の構成要素として、コンピュータプログラム製品として、および／またはプロセッサモジュール２２０の１つまたは複数のコントローラ要素として実装され得る。
【００４２】
[0058]メディアキャプチャモジュール２４０は、たとえば、モバイルデバイス１１５−ａに内蔵のカメラおよび／またはマイクロフォンを使用して、またはモバイルデバイス１１５−ａと通信して、画像、ビデオ、またはオーディオ記録をキャプチャするように構成され得る。メディアプレゼンテーションモジュール２４５は、たとえば、モバイルデバイス１１５−ａのスクリーン（またはそれに接続されるスクリーン）上に画像、ビデオ、またはウェブページを提示するように構成され得る。メディア再生モジュール２５０は、たとえば、モバイルデバイス１１５−ａ上で（またはそれに取り付けられたスピーカおよび／またはスクリーンを介して）オーディオ記録またはビデオを再生するように構成され得る。ウェブブラウザモジュール２５５は、たとえば、ウェブページ内に埋め込まれた（または、リンクされた）様々なタイプの電子媒体を提示または再生するように構成され得る。場合によっては、メディアプレゼンテーションモジュール２４５、メディア再生モジュール２５０、またはウェブブラウザモジュール２５５を介して提示または再生される電子媒体は、キャプチャ後、メディアキャプチャモジュール２４０または送受信機モジュール２１０を介して提示または再生され得る。他の場合、メディアプレゼンテーションモジュール２４５、メディア再生モジュール２５０、またはウェブブラウザモジュール２５５を介して再生される電子媒体は、メモリ２１５または他の物理的なデータストレージ（たとえば、モバイルデバイス１１５−ａに接続された外部データストレージを含む）から検索されると、提示または再生され得る。
【００４３】
[0059]いくつかの実施形態では、デバイス１１５−ａは、生体電位電極アレイ２６０を含み得る。アレイ２６０は、デバイス１１５−ａのユーザの皮膚電気データを取得することができる。いくつかの場合には、生体電位電極アレイは、電極または電極タイルの構成可能な生体電位アレイであり得、またはそれを含むことができる。電極は、異なる構成で、異なる形状でアレイ中に配置され得る。アレイは、デバイス１１５−ａの表面エリアに沿って埋め込まれ得る。バイオセンサは、デバイス１１５−ａのユーザに関連付けられた皮膚電気データを収集するために、電極と一体化され得る。ユーザの皮膚と接触している電極は、データを収集し始めるために起動され得る。たとえば、ユーザがモバイルデバイス１１５−ａを自分の手に保持すると、ユーザの手、指などの皮膚と接触している電極が活性化され得る。ユーザの皮膚との接触が終了した後、活性化された電極は不活性化され得る。たとえば、ユーザが、デバイス１１５を把持している位置を変更すると、現在活性化されている電極は不活性化され得、現在不活性化されている電極は活性化され得る。
【００４４】
[0060]感情処理モジュール２６５は、メディアキャプチャモジュール２４０、メディアプレゼンテーションモジュール２４５、メディア再生モジュール２５０、ウェブブラウザモジュール２５５、および生体電位電極アレイ２６０、ならびにモバイルデバイス１１５−ａに内蔵の、またはモバイルデバイス１１５−ａの外部の他の構成要素およびモジュールといった様々なモジュールと通信し得る。感情処理モジュール２６５は、モバイルデバイス１１５−ａによってキャプチャ、提示、または再生される電子媒体に、ユーザ感情（たとえば、モバイルデバイス１１５−ａを保持するユーザの感情）を関連付けることができる。感情処理モジュール２６５は、バスを介したモバイルデバイス１１５−ａの他の構成要素の一部もしくは全部と通信するモバイルデバイス１１５−ａの構成要素でもよい。代替として、感情処理モジュール２６５の機能は、送受信モジュール２１０の構成要素として、コンピュータプログラム製品として、および／またはプロセッサモジュール２２０の１つまたは複数のコントローラ要素として実装され得る。
【００４５】
[0061]図３は、モバイルデバイスの別の例を示すブロック図３００である。モバイルデバイス１１５−ｂは、図１、および／または図２のモバイルデバイス１１５の一例であり得る。一実施形態では、モバイルデバイス１１５−ｂは、生体電位電極アレイ２６０−ａと、感情処理モジュール２６５−ａと、送信機３３０とを含み得る。生体電位電極アレイ２６０−ａは、図２の生体電位電極アレイ２６０の一例であり得、デバイス１１５−ｂのユーザの皮膚とデバイス１１５−ａの表面エリアとの間の接触に関する信号を生成することができる。生体電位電極アレイ２６０−ａは、受信機３０５の１つの要素でもよく、受信機３０５は、たとえば基地局１０５または他のモバイルデバイス１１５など、他のデバイスから、信号および電子通信を受信するためのワイヤレス受信機を含み得る。受信機３０５は、有線の受信機も含み得、（たとえば、１つまたは複数のアクセサリから）ケーブルを介して信号および電子通信を受信することができる。送信機３３０は、ワイヤレス送信機を含み得、基地局１０５または他のモバイルデバイス１１５など、他のデバイスに信号および電子通信を送信し得る。送信機３３０はまた、有線の送信機を含み得る。
【００４６】
[0062]感情処理モジュール２６５−ａは、図２の感情処理モジュール２６５の一例であり得る。感情処理モジュール２６５−ａは、検出モジュール３１０と、取得モジュール３１５と、感情導出モジュール３２０と、感情関連付けモジュール３２５とを含み得る。一例では、検出モジュール３１０は、ユーザの皮膚と生体電位電極アレイ２６０−ａとの間に十分な接触が存在するかどうかを判断するために、デバイス１１５−ｂのユーザとデバイス１１５−ｂの１つまたは複数の表面に統合される生体電位電極アレイとの間の接触に関する信号を分析することができる。いくつかの実施形態では、これは、接触がユーザの皮膚と生体電位電極アレイ２６０−ａの少なくとも２つ以上の電極タイルとの間に存在するかどうかを判断することを含み得る。
【００４７】
[0063]取得モジュール３１５は、生体電位電極アレイ２６０−ａを介して、デバイス１１５−ｂのユーザの皮膚電気データを取得することができる。取得モジュール３１５の出力は、たとえば、皮膚コンダクタンス反応（ＳＣＲ）でもよい。ＳＣＲは、対象のエクリン汗腺のコンダクタンスを示し、たとえば対象の覚醒の状態など、対象についての有用な皮膚電気データを提供することができる。対象は、たとえば、魅力を感じること、興奮、または恐れなど、感情を経験する結果として覚醒され得る。感情導出モジュール３２０は、そのようなユーザ感情を導出するために、ＳＣＲまたは取得モジュール３１５の他の出力を処理することができる。感情関連付けモジュール３２５は、ユーザ感情が導出された電子媒体にユーザ感情を関連付けることができる。
【００４８】
[0064]図４は、生体電位電極アレイ２６０−ａおよび検出モジュール３１０と通信している取得モジュール３１５−ａの第１の例を示すブロック図４００である。取得モジュール３１５−ａは、図３の取得モジュール３１５の一例であり得る。取得モジュール３１５−ａは、動的構成モジュール４０５と、収集モジュール４１０とを含み得る。
【００４９】
[0065]動的構成モジュール４０５は、結合モジュール４１５を備え得る。結合モジュール４１５は、ユーザの皮膚と接触していることが検出された生体電位電極アレイ２６０−ａの電極を共に結合し得る。たとえば、各電極は、隣接する電極にそれぞれの電子スイッチを用いて接続され得る。スイッチの一例としては電界効果トランジスタ（ＦＥＴ）があり得る。特定の電極タイルと少なくとも１つの隣接する電極タイルとが皮膚と接触するようになったとき、これらの２つの電極間の電子スイッチは、皮膚の導電性特性により閉じられ、したがって、電極間に閉回路が作成され得る。閉回路は電極を活性化し得る。皮膚と接触していない電極間の電子スイッチは閉じられず、開回路が残り得る。これらは不活性電極と呼ばれることがある。
【００５０】
[0066]収集モジュール４１０は、活性化された電極から集められたデータを収集し得る。たとえば、モジュール４１０は、ユーザに関連付けられた皮膚電気データ（ユーザの「皮膚電気データ」とも呼ばれる）を収集することができる。このデータは、電極タイルとともに組み込まれたバイオセンサを介して集められ得る。その結果、活性である電極はデータを収集し得るが、不活性電極は、ユーザの皮膚電気データを収集することに関与し得ない。本明細書で説明する構成可能な生体電位電極アレイアーキテクチャは、不活性である（ユーザの皮膚と接触していない）電極がデータをアクティブに収集していないので、電気的雑音を最小限に抑え得る。
【００５１】
[0067]次に図５を参照すると、ブロック図５００は、生体電位電極アレイ２６０−ａおよび検出モジュール３１０−ａと通信している取得モジュール３１５−ｂの第２の例を示す。取得モジュール３１５−ｂは、図３および／または図４の取得モジュール３１５の一例であり得る。取得モジュール３１５−ｂは、動的構成モジュール４０５−ａと、収集モジュール４１０（以前に説明したもの）とを含み得る。動的構成モジュール４０５−ａは、結合モジュール４１５−ａと、比較モジュール５０５と、選択モジュール５１０とを含み得る。検出モジュール３１０−ａは、デバイス１１５−ｂの外部部分に埋め込まれた第１の電極タイル群とデバイス１１５−ｂのユーザの皮膚との間の接触を検出することができる。結合モジュール４１５−ａは、検出モジュール３１０−ａが接触を検出することに基づいて、第１の電極タイル群を電気的に結合することができる。一構成では、結合された第１の電極タイル群は第１の活性電極エリア（ＡＥＡ）を形成し得る。一例では、検出モジュール３１０−ａは、ユーザの皮膚と第２の電極タイル群との間の接触を検出し得る。結合モジュール４１５−ａはまた、第２のＡＥＡを形成するために第２の電極群を電気的に結合し得る。第１のＡＥＡおよび第２のＡＥＡにおける電極の各々は、デバイス１１５−ｂのユーザに関する収集データを開始することができるバイオセンサを含み得る。一例では、ＡＥＡの数は、データを収集するために必要な最小数のＡＥＡを超え得る。比較モジュール５０５は、各ＡＥＡに関連する信号品質メトリックを比較し得る。たとえば、比較モジュール５０５は、各ＡＥＡにおいてユーザの皮膚から検出された電気信号の品質を比較し得る。選択モジュール５１０は、各ＡＥＡの信号品質メトリックの比較に基づいてどのＡＥＡからデータを受信すべきかを選択し得る。信号品質メトリックの例としては、限定はしないが、信号対雑音比（ＳＮＲ）があり得る。
【００５２】
[0068]図６は、生体電位電極アレイ２６０−ａおよび検出モジュール３１０−ｂと通信している、取得モジュール３１５−ｃの第３の例を示すブロック図６００である。取得モジュール３１５−ｃは、図３、図４、および／または図５の取得モジュール３１５の一例であり得る。取得モジュール３１５−ｃは、動的構成モジュール４０５−ｂと、収集モジュール４１０（以前に説明したもの）とを含み得る。動的構成モジュール４０５−ｂは、さらに、結合モジュール４１５−ｂとポーリングモジュール６０５とを含み得る。一例では、検出モジュール３１０−ｂが電極とユーザの皮膚との間の接触を検出したとき、結合モジュール４１５−ｂは電極タイルを電気的に結合し得る。
【００５３】
[0069]一構成では、ポーリングモジュール６０５は、使用の皮膚との接触が維持されているかどうかを判断するために、結合された電極をルーチンでポーリングし得る。ポーリングモジュール６０５の一例は電気皮膚反応（ＧＳＲ）センサであり得る。皮膚が電極に接触したとき、皮膚の導電性特性により、接触した電極間の電流は０よりも大きくなり得る。その結果、ポーリングモジュール６０５は、隣接する電極間の電流の流れをポーリングし得る。２つのポーリングされた電極間の電流の流れが０である場合、検出モジュール３１０−ｂは、使用の皮膚との接触がもはや存在しないことを検出し得る。ユーザの皮膚との接触が終了した後、結合モジュール４１５−ｂは電極を分離し得る。ポーリングモジュール６０５はまた、ユーザの皮膚との接触が存在し得るかどうかを判断するために、前に分離された電極間の電流の流れをポーリングし得る。少なくとも２つの隣接する電極間の電流の流れが０よりも大きい場合、検出モジュール３１０−ｂは、これらの前に分離された電極とユーザの皮膚との間の接触を検出し得る。結合モジュール４１５−ｂは、次いで、これらの電極を電気的に結合し得る。
【００５４】
[0070]結合されている間、電極はユーザの皮膚と接触したままであり、収集モジュール４１５−ｂは、それらの電極に関連するバイオセンサを介してユーザの皮膚電気データを収集し得る。
【００５５】
[0071]図７は、感情導出モジュール３２０−ａの一例を示すブロック図７００である。感情導出モジュール３２０−ａは、図３の感情導出モジュール３２０の一例であり得る。感情導出モジュール３２０−ａは、分析モジュール７０５と、感情状態モジュール７１０とを含み得る。分析モジュール７０５は、ユーザの収集された皮膚電気データ（たとえば、ＳＣＲ）を分析することができる。一構成では、感情状態モジュール７１０は、分析に基づいて皮膚電気データをユーザの感情状態（たとえば、幸福である、興奮している、悲しい、怒っている、心配である、ストレスがある）に相関させることができる。一例では、感情状態モジュール７１０は、様々な感情状態と、１つまたは複数の感情状態に対応するＳＣＲとを記憶するデータベースにアクセスすることができる。データベースは、ローカルにデバイス１１５上に、または遠隔にサーバまたは何らかの他のコンピューティングデバイスに記憶され得る。
【００５６】
[0072]次に図８を参照すると、ブロック図８００は、感情関連付けモジュール３２５−ａの一例を示す。一構成では、感情関連付けモジュール３２５−ａは、図３の感情関連付けモジュール３２５の一例であり得る。感情関連付けモジュール３２５−ａは、たとえば、メタデータ関連付けモジュール８０５とスキーマ関連付けモジュール８１０の１つまたは複数とを含み得る。メタデータ関連付けモジュール８０５は、ユーザ感情を電子媒体の関連するメタデータに記憶することによって、ユーザ感情を電子媒体に関連付けることができる。たとえば、Ｊｏｉｎｔ  Ｐｈｏｔｏｇｒａｐｈｉｃ  Ｅｘｐｅｒｔｓ  Ｇｒｏｕｐ（ＪＰＥＧ）画像の場合、メタデータ関連付けモジュール８０５は、ユーザ感情のインジケータ（または「タグ」）をＪＰＥＧ画像のＥｘｃｈａｎｇｅａｂｌｅ  Ｉｍａｇｅ  Ｆｉｌｅ  Ｆｏｒｍａｔ（ＥＸＩＦ）タグで記憶することができる。
【００５７】
[0073]スキーマ関連付けモジュール８１０は、電子媒体に関連付けられたスキーマでユーザ感情を記憶することによって、ユーザ感情を電子媒体に関連付けることができる。たとえば、スキーマ関連付けモジュール８１０は、ユーザ感情のインジケータをカスタムｅＸｔｅｎｓｉｂｌｅ  Ｍｅｔａｄａｔａ  Ｐｌａｔｆｏｒｍ（ＸＭＰ）スキーマで記憶することができる。インジケータ（または「タグ」）は、ワールドワイドウェブコンソーシアム（Ｗ３Ｃ）感情マークアップ言語（ＥＭＬ）を使用して作成され得る。そのようなＥＭＬタグの形は、以下とすることができる。
【数１】
2016509276.tif 000003
【００５８】
[0074]いくつかの実施形態では、感情関連付けモジュール３２５−ａは、メタデータ関連付けモジュール８０５を最初に呼び出すことができる。メタデータ関連付けモジュール８０５がユーザ感情のインジケータを電子媒体のメタデータに記憶することができない場合、感情関連付けモジュール３２５−ａは、スキーマ関連付けモジュール８１０を呼び出すことができる。他の実施形態では、感情関連付けモジュール３２５−ａは、電子媒体タイプ（たとえば、画像、ビデオ、またはオーディオ）、または電子媒体ファイルタイプ（たとえば、ＪＰＥＧ、またはＴａｇｇｅｄ  Ｉｍａｇｅ  Ｆｉｌｅ  Ｆｏｒｍａｔ（ＴＩＦＦ））に基づいて、メタデータ関連付けモジュール８０５またはスキーマ関連付けモジュール８１０を呼び出すことができる。
【００５９】
[0075]図９は、モバイルデバイス１１５−ｃの表面エリアに埋め込まれた生体電位電極アレイ２６０−ｂを有するモバイルデバイス１１５−ｃの一例のブロック図９００を示す。アレイ２６０−ｂは、図１、図２、図３、図４、図５、および／または図６の生体電位電極アレイの一例であり得る。一構成では、モバイルデバイス１１５−ｃは、図１、図２、および／または図３のモバイルデバイス１１５の一例であり得る。デバイス１１５−ｃは、たとえば側端部表面エリア９５５（または単に「側端部」）、ディスプレイ表面エリア９６０、およびディスプレイ表面エリアの反対側の表面エリア（たとえば、カメラの口径９１０が位置し得る表面エリア）など、いくつかの表面エリアを含み得る。アレイ２６０−ｂは、この例では、側端部９５５に埋め込まれ、または配置され得、特に、デバイス１１５−ｃの四隅９３５、９４０、９４５、および９５０に位置する領域９１５、９２０、９２５および９３０の間に分散され得る。しかしながら、アレイ２６０−ｂは、モバイルデバイス１１５−ｃの他の表面エリアに埋め込まれ、または配置され得ることを理解されたい。
【００６０】
[0076]次に図１０を参照すると、ブロック図１０００は、生体電位電極アレイ２６０−ｃの一例を示す。一構成では、生体電位電極アレイ２６０−ｃは、図１、図２、図３、図４、図５、図６、および／または図９の生体電位電極アレイ２６０の一例であり得る。生体電位電極アレイ２６０−ｃは、デバイスの１つまたは複数の表面９５５−ａ上にいくつかの電極タイル１００５−ａ−１と、１００５−ａ−２と、１００５−ａ−３と、１００５−ａ−ｎとを含み得る。いくつかの実施形態では、電極タイルは、ステンレス鋼から形成され得る。各電極タイル１００５は、バイオセンサを含み得る。バイオセンサの例としては、電気皮膚反応（ＧＳＲ）センサ、および他の生体電位センサがあり得る。図示のように、電極タイル１００５は形状が矩形であり得る。電極タイルの隣接するものの間に空間が存在し得る。電極タイル１００５は、たとえば図９に示されるデバイス１１５−ｃの領域９１５、９２０、９２５、９３０など、デバイスの異なる領域上に分散され得るので、電極タイルのいくつかの間により大きい空間が存在し得る。人間の皮膚との接触により隣接する電極間で流れる電流が検出されたとき、電極間の電子スイッチが閉じられて閉回路が作成され得る。閉回路は、それらの電極が皮膚電気データを収集することを可能にし得るが、開回路状態である（人間の皮膚と接触していない）電極はデータを収集することに関与し得ない。
【００６１】
[0077]図１１は、デバイスの表面エリア９５５−ｂ上に埋め込まれた電極タイル１００５−ｂ−１〜１００５−ｂ−ｎを含む生体電位電極アレイ２６０−ｄの別の例を示すブロック図１１００である。生体電位電極アレイ２６０−ｄは、図１、図２、図３、図４、図５、図６、図９、および／または図１０の生体電位電極アレイ２６０の一例であり得る。電極タイル１００５は形状が六角形であり得る。図示のように、一群の電極タイル１１０５または１１１０の隣接する電極タイルの間にごくわずかな空間が存在し得る。しかしながら、電極タイル群が、デバイスの異なる領域の間（たとえば図９に示されるデバイス１１５−ｃの領域９１５、９２０、９２５、９３０の間）に分散されるときに必要とされ得るように、電極タイル１１０５、１１１０の異なる群の間に、より大きい空間が存在し得る。各電極タイルは、デバイスユーザに関する情報を収集するためのバイオセンサを含み得る。バイオセンサは、それらのそれぞれの電極がユーザの皮膚と接触したとき、データを収集し始め得る。
【００６２】
[0078]次に図１２を参照すると、電極タイル１００５−ｃ−１、１００５−ｃ−２、１００５−ｃ−３の収集１２００が示されている。電極タイルは、図１０および／または図１１の電極タイル１００５の例であり得る。一例では、電子スイッチ１２０５−ａ−１、１２０５−ａ−２、または１２０５−ａ−３が、隣接する電極タイル間に存在し得る。ユーザの皮膚が少なくとも２つの隣接する電極タイルに接触したとき、少なくとも２つの隣接する電極タイル間の電流の流れにより、少なくとも２つの電極間の電子スイッチが閉じられ得る。少なくとも２つの電極タイルに関連するバイオセンサは、ユーザに関連する皮膚電気データを収集し始め得る。たとえば、ユーザは、第１の電極タイル１００５−ｃ−１と、第２の電極タイル１００５−ｃ−２とにタッチし得る。ユーザの皮膚との接触が検出されたとき、電極は、それらの間の電子スイッチ１２０５−ａ−２を閉じることによって電気的に結合され得る。スイッチが閉じられると、第１の電極１００５−ｃ−１と第２の電極１００５−ｃ−２とに関連するバイオセンサは、ユーザに関するデータを収集し得る。電極タイルと皮膚との間の接触が終了したとき、スイッチ１２０５−ａ−２は開かれ得る（および電極が分離される）。
【００６３】
[0079]図１３は、生体電位電極アレイ２６０−ｅの動作状態を示すブロック図１３００である。アレイ２６０−ｅは、図１、図２、図３、図４、図５、図６、図９、図１０、および／または図１１の生体電位電極アレイの一例であり得る。アレイ２６０−ｅは、生体電位電極アレイ２６０−ｅとのユーザ接触によって作られるいくつかのＡＥＡ１３０５−ａ−１と、１３０５−ａ−２とを含み得る。生体電位電極アレイ２６０−ｅとのユーザ接触の一例によれば、アレイ２６０−ｅは、第１のＡＥＡ１３０５−ａ−１と第２のＡＥＡ１３０５−ａ−２とを含むように構成され得る。各ＡＥＡは、電気的に結合された少なくとも２つの電極タイルを含み得る。言い換えれば、各ＡＥＡは、ユーザの皮膚と接触している電極タイルを含み得る。デバイスのユーザの把持がシフトすると、一方または両方のＡＥＡの位置も変化し得る。たとえば、第１の時間期間において、ユーザは、自分の皮膚が第１のＡＥＡ１３０５−ａ−１と第２のＡＥＡ１３０５−ａ−２とにおいて電極タイルと接触しているようにデバイスを保持していることがある。これらのＡＥＡ中の電極タイルは、それらが活性化されている（すなわち、ユーザの皮膚と接触している）間、ユーザに関連する皮膚電気データを収集し得る。第２の時間期間において、ユーザは、デバイスの自分の把持の位置を変更し得る。その結果、ユーザは、もはや第１のＡＥＡ１３０５−ａ−１中の電極タイルと接触していないことがある。したがって、これらの電極タイルは不活性化され得、第１のＡＥＡ１３０５−ａ−１は存在しなくなり得る。ユーザがアレイ２６０−ｅのこの部分にタッチし続ける場合、第２のＡＥＡ１３０５−ａ−２の電極タイルを介して、第２の時間期間中、依然として、皮膚電気データが収集され得る。ユーザがアレイ２６０−ｅの以前にタッチされていない部分を把持する場合、この部分の電極タイルは結合され、新しいＡＥＡが形成され得る。
【００６４】
[0080]この例に示したように、ＡＥＡは、動的に変えられ得、生体電位電極アレイ２６０−ｅは、動的に構成され得る。たとえば、図９、図１０、および／または図１１に示されるデバイス１１５−ｃの表面エリア９５５の例である、表面エリア９５５−ｃ上の把持をユーザがシフトするにつれて、ＡＥＡの位置および数も変わり得る。一実施形態では、ポーリングモジュール６０５（図６）は、どの連続エリアが活性のままであるか、およびアレイ２６０−ｅのどの不活性エリアが活性化されるべきであるかを判断するために、隣接する電極タイル間の電流の流れを連続的にポーリングし得る。このアーキテクチャは、ユーザがデバイス１１５−ｃなどのデバイス上で自分の把持を調整している間、（皮膚の少なくとも一部分がアレイ２６０−ｅに接触している限り）皮膚電気データの収集が行われることを可能にする。
【００６５】
[0081]次に図１４を参照すると、ユーザ感情を電子媒体に関連付けるための方法１４００の一例を示すフローチャートが与えられている。方法１４００は、図１、図２、図３、および／または図９のモバイルデバイス１１５などのデバイスによって実装され得る。一構成では、方法１４００は、図２および／または図３の感情処理モジュール２６５によって実装され得る。
【００６６】
[0082]ブロック１４０５で、デバイスのユーザとデバイスに統合された生体電位電極アレイとの間の接触が検出される。いくつかの場合には、生体電位電極アレイは、図２、図３、図４、図５、図６、図９、図１０、図１１、図１２および／または図１３に示される生体電位電極アレイ２６０のうちの１つとすることができる。
【００６７】
[0083]ブロック１４１０で、ユーザの皮膚電気データが生体電位電極アレイを介して取得される。取得は、いくつかの場合には、生体電位電極アレイを動的に構成することを伴い得、いくつかの場合には、ＳＣＲの生成をもたらし得る。
【００６８】
[0084]一構成では、ブロック１４１５で、取得された皮膚電気データに少なくとも部分的に基づいて、ユーザ感情が導出される。次いで、ブロック１４２０で、ユーザ感情が電子媒体に関連付けられ得る。いくつかの場合には、電子媒体は、画像、ビデオ、オーディオ記録、またはウェブページでもよい。
【００６９】
[0085]したがって、方法１４００は、たとえばモバイルデバイス１１５などのデバイスと統合される生体電位電極アレイを使用して、ユーザ感情を電子媒体に関連付けることを提供することができる。方法１４００は、一実装形態にすぎないこと、および方法１４００の動作は、他の実装形態が可能であるように、並べ替えられるかまたは場合によっては変更され得ることに留意されたい。
【００７０】
[0086]図１５は、デバイスのユーザと動的に構成可能な生体電位電極アレイとの間の接触を検出し、生体電位電極アレイ内の少なくとも２つの電極タイルの電気的な結合を維持するべきかどうかを決定し、生体電位電極アレイを介してユーザの皮膚電気データを取得するための方法１５００の一例である。方法１５００は、いくつかの場合には、図１４および図１７に示される方法のアクションを検出し、取得することを達成するために使用され得る。方法１５００は、図１、図２、図３、および／または図９のモバイルデバイス１１５などのデバイスによって実装され得る。いくつかの構成では、方法１５００は、図２および／または図３の感情処理モジュール２６５によって、または図３、図４、図５および／または図６の検出モジュール３１０および取得モジュール３１５によって実装され得る。
【００７１】
[0087]一例では、（いくつかの電極タイルを含む）生体電位電極アレイは、モバイルデバイス１１５の外部部分に含まれ得る。ブロック１５０５において、少なくとも２つの隣接する電極タイルとユーザの皮膚との間の接触が検出され得る。ブロック１５１０において、接触が検出されたとき、少なくとも２つの隣接する電極タイルが結合され得る。結合された電極タイルは第１のＡＥＡを形成し得る。一構成では、ブロック１５１５において、ユーザの皮膚と電極タイルとの間の接触が維持されているかどうかに関する判断が行われ得る。たとえば、ポーリングモジュール６０５は、電極間の電流の流れが０よりも大きいかどうかを判断するために、結合された電極タイルをポーリングし得る。接触が維持されている（すなわち、電流の流れが０よりも大きい）と判断された場合、ブロック１５２０において、第１のＡＥＡの結合された電極タイルによって皮膚電気データが収集され得る。電極タイルは、データを収集するためのバイオセンサを含み得る。方法１５００は、次いで戻って、結合された電極タイルをポーリングし続けることによって、接触が持続しているかどうかを判断し得る。しかしながら、接触が終了したと判断された場合、ブロック１５２５において、少なくとも２つの隣接する電極タイルが分離され得る。分離された電極タイルは、ユーザに関連する皮膚電気データを収集しなくなり得る。方法１５００は、次いで戻って、隣接する電極タイルがユーザの皮膚と接触しているかどうかを検出し続け得る。
【００７２】
[0088]したがって、方法１５００は、電極タイルとユーザの皮膚との間の接触が維持されているかどうかを判断し得る。方法１５００は、一実装形態にすぎないこと、および方法１５００の動作は、他の実装形態が可能であるように、並べ替えられるかまたは場合によっては変更され得ることに留意されたい。
【００７３】
[0089]次に図１６を参照すると、フローチャートに、ユーザの皮膚と電極タイルのうちの少なくとも２つとの間の接触を検出するために、動的に構成可能な生体電位電極アレイの電極タイルをポーリングするための方法１６００の一例が示されている。方法１６００は、いくつかの場合には、図１４および図１７に示される方法のアクションを検出し、取得し、導出することを達成するために使用され得る。方法１６００は、図１、図２、図３、および／または図９のモバイルデバイス１１５などのデバイスによって実装され得る。いくつかの構成では、方法１６００は、図２および／または図３の感情処理モジュール２６５によって、または図３、図４、図５および／または図６の検出モジュール３１０および取得モジュール３１５によって実装され得る。
【００７４】
[0090]ブロック１６０５において、生体電位電極アレイのいくつかの電極タイルがポーリングされ得る。たとえば、流れが０よりも大きいかどうかを判断するために、隣接する電極タイル間の電流の流れをポーリングし得る。一構成では、アレイは、モバイルデバイス１１５の外部表面エリア上に埋め込まれ得る。ブロック１６１０において、電極タイルとモバイルデバイス１１５のユーザの皮膚との間の接触が検出され得る。ブロック１６１５において、最小数の電極タイルが皮膚と接触しているかどうかに関する判断が行われ得る。最小数の電極タイルがユーザの皮膚と接触していないと判断された場合、方法１６００は、戻って、接触を検出するために電極タイルをポーリングし続け得る。しかしながら、最小数の電極タイルが皮膚と接触していると判断された場合、ブロック１６２０において、ＡＥＡを形成するために、皮膚と接触している電極タイルが電気的に結合され得る。
【００７５】
[0091]ブロック１６２５において、最小数のＡＥＡが存在するかどうかに関する判断が行われ得る。たとえば、最小数のＡＥＡからいくつかのタイプの皮膚電気データが収集され得る。一例として、ＳＣＲデータを収集するために、少なくとも２つのＡＥＡが使用され得る。所望の皮膚電気データを収集するための最小数のＡＥＡが存在しないと判断された場合、方法１６００は、戻って、接触を検出するためにアレイ内の電極をポーリングし得る。しかしながら、最小数のＡＥＡが存在すると判断された場合、ブロック１６３０において、ＡＥＡの電極タイルを介して皮膚電気データが収集され得る。データが収集されている間、ポーリングモジュール６０５は、現在結合されている電極タイル間の接触が維持されているかどうかを検出するために、ならびに皮膚と以前に分離された電極タイルとの間の接触が検出されたかどうかを検出するために、リアルタイムで電極タイルをポーリングし続け得る。
【００７６】
[0092]ブロック１６３５において、収集されたデータが分析され得る。ブロック１６４０において、分析に基づいてユーザの状態が判断され得る。たとえば、分析された皮膚電気データに基づいて、ユーザの感情状態が判断され得る。方法１６００は、戻って、最小数のＡＥＡが依然として存在するかどうかを判断し得る。ＡＥＡが維持されている場合、ＡＥＡ中の電極タイルに関連するバイオセンサを介して皮膚電気データが収集され続け得る。
【００７７】
[0093]したがって、方法１６００は、ユーザの皮膚と電極タイルとの間の接触を検出するために、動的に構成可能な生体電位電極アレイの電極タイルをポーリングし得る。方法１６００は、一実装形態にすぎないこと、および方法１６００の動作は、他の実装形態が可能であるように、並べ替えられるかまたは場合によっては変更され得ることに留意されたい。
【００７８】
[0094]上記で説明によって与えたように、電極タイルの生体電位電極アレイは、モバイルデバイス１１５の外部表面エリア上に埋め込まれ得る。電極タイルは、モバイルデバイス１１５のユーザに関係する皮膚電気データを収集するために使用されるバイオセンサに関連付けられ得る。電極タイルがユーザの皮膚に接触するまで電極タイルは互いに分離され得る。分離された電極タイルは、デバイス１１５のユーザに関連する皮膚電気データを収集するために活性化され得ない。接触が検出されたとき、隣接する電極タイル間の電子スイッチが閉じ、したがって、皮膚と接触している電極タイルが電気的に結合され得る。これらの結合された電極タイルに関連するバイオセンサは、次いで、ユーザに関する皮膚電気データを収集し始め得る。ユーザがモバイルデバイス１１５の把持を変更し、アレイの異なる部分にタッチすると、結合された電極タイルは、皮膚との接触が持続していない場合、分離され得る。以前に分離され、今では皮膚と接触していることがある電極タイルは、データの収集を開始するために電気的に結合され得る。
【００７９】
[0095]次に図１７を参照すると、ユーザ感情を電子媒体に関連付けるための方法１７００の別の例を示すフローチャートが提供される。方法１７００は、図１、図２、図３、および／または図９のモバイルデバイス１１５などのデバイスによって実装され得る。一構成では、方法１７００は、図２および／または図３の感情処理モジュール２６５によって実装され得る。
【００８０】
[0096]ブロック１７０５で、電子媒体がキャプチャされているか、提示されているか、再生されているかが判断される。いくつかの実施形態では、これは、たとえば、カメラ、マイクロフォン、または通信インターフェースを使用して電子媒体のデバイスのキャプチャを検出することを含み得る。たとえば、カメラまたはメディア記録ハードウェアの起動または使用を検出することによって、重力に対するデバイスの配向（たとえば、カメラの使用を代表する横方向配向）を検出することによって、デバイス上にインストールされるカメラまたはメディア記録アプリケーションの起動または使用を検出することによって、またはキャプチャされている画像、ビデオ、またはオーディオレコーディングを示す信号を検出する（たとえば、画像、ビデオ、またはオーディオクリップをキャプチャする／録音するボタンまたはアイコンの起動）ことによって、キャプチャが検出され得る。
【００８１】
[0097]同じまたは他の実施形態では、たとえば、デバイスにインストールされた媒体再生アプリの起動または使用を検出することによって、電子媒体がデバイスによって再生されている旨の決定が行われ得る。電子媒体がユーザに提示されている旨の決定は、同様の方法で行われ得る。メディアプレゼンテーションは、ウェブブラウザを介して表示されているメディアコンテンツによっても検出され得る。
【００８２】
[0098]ブロック１７０５で実行される動作は、いくつかの場合には、感情処理モジュール２６５、メディアキャプチャモジュール２４０、メディアプレゼンテーションモジュール２４５、メディア再生モジュール２５０、ウェブブラウザモジュール２５５、および／または図２に示されるデバイス１１５−ａの他のモジュールまたは構成要素の間の通信を伴い得る。
【００８３】
[0099]ブロック１７１０で、および電子媒体がデバイスによってキャプチャされている、提示されている、または再生されていることを判断すると、デバイスのユーザとデバイスに統合された生体電位電極アレイとの間の接触があるかどうかが判断される。接触が検出された場合、ブロック１７２０で、ユーザの皮膚電気データが生体電位電極アレイを介して取得される。いくつかの場合には、皮膚電気データの取得は、皮膚電気データを取得するように生体電位電極アレイを動的に構成することを含み得る。ブロック１７１０および１７２０で実行される動作は、いくつかの場合には、方法１５００または１６００の一部または全体を使用して実行され得る。
【００８４】
[0100]ブロック１７２５において、ユーザ感情が導出される。ユーザ感情は、取得された皮膚電気データに少なくとも部分的に基づく。ブロック１７２５で実行される動作は、いくつかの場合には、方法１６００の一部（たとえば、ブロック１６３５および１６４０）を使用して実行され得る。
【００８５】
[0101]デバイスユーザと生体電位電極アレイとの十分な接触が存在しない（すなわち、ブロック１７１０において答えが「いいえ」である）とき、デバイスユーザは、たとえば電子媒体をキャプチャし直すオプション、またはユーザの感情を入力するオプションなど、１つまたは複数のオプションが提示され得る。これらのオプションは、デバイスのユーザインターフェース（たとえば、グラフィカルユーザインターフェース）を介して提供され得る。いくつかの場合には、デフォルトまたは最善の推測のユーザ感情のインジケータがユーザインターフェースを介してユーザに提示され得る。
【００８６】
[0102]ブロック１７３０で、ユーザ感情が関連付けられる電子媒体の「タイプ」または「ファイルタイプ」が決定される。以前に説明したように、メディアタイプは、たとえば、画像、ビデオ、またはオーディオとすることができる。メディアファイルタイプは、たとえば、ＪＰＥＧ、ＴＩＦＦ、または電子媒体を記憶するために使用される別のファイル形式とすることができる。
【００８７】
[0103]ブロック１７３０での判断に基づいて、ユーザ感情を電子媒体のメタデータとして保存することによって（ブロック１７３５）、または、電子媒体に関連付けられたスキーマでユーザ感情を保存することによって（ブロック１７４０）、ユーザ感情が電子媒体に関連付けられ得る。
【００８８】
[0104]本明細書で開示するシステム、方法、デバイス、および装置のいくつかの実施形態では、システム、方法、デバイス、および装置は、自動化される（または実質的に自動化される）。自動化は、ユーザ感情がルーチンで電子媒体に関連付けられることを確実にするのを助ける。
【００８９】
[0105]添付の図面に関して上記に記載した詳細な説明は、例示的な実施形態について説明しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利である」ことを意味しない。詳細な説明は、説明した技法の理解を提供する目的で、具体的な詳細を含む。しかしながら、これらの技法は、これらの具体的な詳細なしに実施され得る。場合によっては、説明した実施形態の概念を不明瞭にしないように、よく知られている構造およびデバイスがブロック図の形態で示される。
【００９０】
[0106]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９１】
[0107]本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００９２】
[0108]本明細書で説明する機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内にある。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的な場所において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００９３】
[0109]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され汎用または専用コンピュータあるいは汎用または専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せも、コンピュータ可読媒体の範囲内に含まれる。
【００９４】
[0110]本開示についての以上の説明は、当業者が本開示を作成または使用することができるように提供される。本開示への様々な修正は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2016509276.tif 000004
【図２】
2016509276.tif 000005
【図３】
2016509276.tif 000006
【図４】
2016509276.tif 000007
【図５】
2016509276.tif 000008
【図６】
2016509276.tif 000009
【図７】
2016509276.tif 000010
【図８】
2016509276.tif 000011
【図９】
2016509276.tif 000012
【図１０】
2016509276.tif 000013
【図１１】
2016509276.tif 000014
【図１２】
2016509276.tif 000015
【図１３】
2016509276.tif 000016
【図１４】
2016509276.tif 000017
【図１５】
2016509276.tif 000018
【図１６】
2016509276.tif 000019
【図１７】
2016509276.tif 000020
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
ユーザ感情を電子媒体に関連付ける方法であって、
デバイスのユーザと前記デバイスに統合された生体電位電極アレイとの間の接触を検出することと、
前記電子媒体が前記ユーザに対してキャプチャされるか、提示されるか、再生されるか、またはそれらの組み合わせのうちの１つである場合に、前記生体電位電極アレイを介して前記ユーザの皮膚電気データを取得することと、
前記取得された皮膚電気データに少なくとも部分的に基づいて前記ユーザ感情を導出することと、
前記導出されたユーザ感情を前記電子媒体に関連付けることと
を備える方法。
【請求項２】
前記デバイスによる前記電子媒体の前記キャプチャを検出することと、ここにおいて、前記デバイスの前記ユーザと前記生体電位電極アレイとの間の前記接触を検出することは、前記キャプチャを検出することに応答して少なくとも部分的に基づく、
をさらに備える、請求項１に記載の方法。
【請求項３】
前記デバイスによる前記電子媒体の前記再生を検出することと、ここにおいて、前記デバイスの前記ユーザと前記生体電位電極アレイとの間の前記接触を検出することは、前記再生を検出することに応答して少なくとも部分的に基づく、
をさらに備える、請求項１に記載の方法。
【請求項４】
前記デバイスによる前記電子媒体の前記提示を検出することと、ここにおいて、前記デバイスの前記ユーザと前記生体電位電極アレイとの間の前記接触を検出することは、前記提示を検出することに応答して少なくとも部分的に基づく、
をさらに備える、請求項１に記載の方法。
【請求項５】
前記デバイス上にインストールされたアプリケーションの起動を検出することと、ここにおいて、前記デバイスの前記ユーザと前記生体電位電極アレイとの間の前記接触を検出することは、前記起動を検出することに応答して少なくとも部分的に基づく、
をさらに備える、請求項１に記載の方法。
【請求項６】
前記アプリケーションがカメラアプリケーションである、請求項５に記載の方法。
【請求項７】
重力に対する前記デバイスの配向を検出することと、ここにおいて、前記デバイスの前記ユーザと前記生体電位電極アレイとの間の前記接触を検出することは、前記配向を検出することに応答して少なくとも部分的に基づく
をさらに備える、請求項１に記載の方法。
【請求項８】
前記配向が横方向配向である、請求項７に記載の方法。
【請求項９】
前記皮膚電気データを取得することが、
前記検出された接触に少なくとも部分的に基づいて、前記生体電位電極アレイを動的に構成することと、
前記構成された生体電位電極アレイから前記皮膚電気データを取得することと
を備える、請求項１に記載の方法。
【請求項１０】
前記生体電位電極アレイを動的に構成することが、
前記生体電位電極アレイ内に第１の活性電極エリアを形成するために、少なくとも２つの隣接する電極タイルを電気的に結合すること
を備える、請求項９に記載の方法。
【請求項１１】
前記ユーザ感情を導出することが、
前記皮膚電気データを複数の感情状態のうちの１つに相関させること
を備える、請求項１に記載の方法。
【請求項１２】
前記導出されたユーザ感情を前記電子媒体に関連付けることが、
前記ユーザ感情を前記電子媒体のメタデータとして保存すること
を備える、請求項１に記載の方法。
【請求項１３】
前記導出されたユーザ感情を前記電子媒体に関連付けることが、
前記ユーザ感情を、前記電子媒体に関連付けられたスキーマで保存すること
を備える、請求項１に記載の方法。
【請求項１４】
前記デバイス上に、前記ユーザ感情を編集するためのユーザインターフェースを提示すること
をさらに備える、請求項１に記載の方法。
【請求項１５】
前記電子媒体が画像である、請求項１に記載の方法。
【請求項１６】
前記電子媒体がビデオである、請求項１に記載の方法。
【請求項１７】
前記電子媒体がオーディオ記録である、請求項１に記載の方法。
【請求項１８】
前記デバイスが携帯電話である、請求項１に記載の方法。
【請求項１９】
前記デバイスがカメラである、請求項１に記載の方法。
【請求項２０】
前記生体電位電極アレイが、
前記デバイスの１つの隅に、前記デバイスの少なくとも側端部に配置される一群の電極
を備える、請求項１に記載の方法。
【請求項２１】
前記生体電位電極アレイが、
複数の電極群を備え、各電極群が、前記デバイスの４隅のうちの異なる１つに配置され、各電極群が、前記デバイスの少なくとも側端部に配置されている
請求項１に記載の方法。
【請求項２２】
ユーザ感情を電子媒体に関連付けるためのデバイスが、
プロセッサと、
前記プロセッサと電子通信しているメモリと、
前記メモリに記憶された命令とを備え、前記命令が、
前記デバイスのユーザと前記デバイスに統合された生体電位電極アレイとの間の接触を検出し、
前記電子媒体が前記ユーザに対してキャプチャされるか、提示されるか、再生されるか、またはそれらの組み合わせのうちの１つである場合に、前記生体電位電極アレイを介して前記ユーザの皮膚電気データを取得し、
前記取得された皮膚電気データに少なくとも部分的に基づいて前記ユーザ感情を導出し、
前記導出されたユーザ感情を前記電子媒体に関連付ける
ように前記プロセッサによって実行可能である、デバイス。
【請求項２３】
前記命令が、
前記デバイスによる前記電子媒体の前記キャプチャを検出することと、ここにおいて、前記デバイスの前記ユーザと前記生体電位電極アレイとの間の前記接触は、前記キャプチャを検出することに応答して少なくとも部分的に基づく
を行うようにさらに前記プロセッサによって実行可能である、請求項２２に記載のデバイス。
【請求項２４】
前記命令が、
前記デバイスによる前記電子媒体の前記再生を検出することと、ここにおいて、前記デバイスの前記ユーザと前記生体電位電極アレイとの間で検出された前記接触は、前記再生を検出することに応答して少なくとも部分的に基づく
を行うようにさらに前記プロセッサによって実行可能である、請求項２２に記載のデバイス。
【請求項２５】
前記命令が、
前記デバイスによる前記電子媒体の前記提示を検出することと、ここにおいて、前記デバイスの前記ユーザと前記生体電位電極アレイとの間で検出された前記接触は、前記提示を検出することに応答して少なくとも部分的に基づく
を行うようにさらに前記プロセッサによって実行可能である、請求項２２に記載のデバイス。
【請求項２６】
前記導出されたユーザ感情を前記電子媒体に関連付けるための前記命令が、
前記ユーザ感情を前記電子媒体のメタデータとして保存する
ための命令を備える、請求項２２に記載のデバイス。
【請求項２７】
前記導出されたユーザ感情を前記電子媒体に関連付けるための前記命令が、
前記ユーザ感情を、前記電子媒体に関連付けられたスキーマで保存する
ための命令を備える、請求項２２に記載のデバイス。
【請求項２８】
前記生体電位電極アレイをさらに備え、前記生体電位電極アレイが、
前記デバイスの１つの隅に、前記デバイスの少なくとも側端部に配置される一群の電極
を備える、請求項２２に記載のデバイス。
【請求項２９】
前記生体電位電極アレイをさらに備え、前記生体電位電極アレイが、
複数の電極群を備え、各電極群が、前記デバイスの４隅のうちの異なる１つに配置され、各電極群が、前記デバイスの少なくとも側端部に配置されている
請求項２２に記載のデバイス。
【請求項３０】
ユーザ感情を電子媒体に関連付けるための装置であって、
デバイスのユーザと前記デバイスに統合された生体電位電極アレイとの間の接触を検出するための手段と、
前記電子媒体が前記ユーザに対してキャプチャされるか、提示されるか、再生されるか、またはそれらの組み合わせのうちの１つである場合に、前記生体電位電極アレイを介して前記ユーザの皮膚電気データを取得するための手段と、
前記取得された皮膚電気データに少なくとも部分的に基づいて前記ユーザ感情を導出するための手段と、
前記導出されたユーザ感情を前記電子媒体に関連付けるための手段と
を備える装置。
【請求項３１】
前記デバイスによる前記電子媒体の前記キャプチャを検出するための手段
をさらに備え、前記デバイスの前記ユーザと前記生体電位電極アレイとの間の前記接触を検出するための前記手段が、少なくとも部分的に前記キャプチャを検出することに応答して前記接触を検出する
請求項３０に記載の装置。
【請求項３２】
前記デバイスによる前記電子媒体の前記再生を検出するための手段
をさらに備え、前記デバイスの前記ユーザと前記生体電位電極アレイとの間の前記接触を検出するための前記手段が、少なくとも部分的に前記再生を検出することに応答して前記接触を検出する
請求項３０に記載の装置。
【請求項３３】
前記デバイスによる、前記ユーザに対する前記電子媒体の前記提示を検出するための手段
をさらに備え、前記デバイスの前記ユーザと前記生体電位電極アレイとの間の前記接触を検出するための前記手段が、少なくとも部分的に前記提示を検出することに応答して前記接触を検出する
請求項３０に記載の装置。
【請求項３４】
前記導出されたユーザ感情を前記電子媒体に関連付けるための前記手段が、
前記ユーザ感情を前記電子媒体のメタデータとして保存するための手段
を備える、請求項３０に記載の装置。
【請求項３５】
前記導出されたユーザ感情を前記電子媒体に関連付けるための前記手段が、
前記ユーザ感情を、前記電子媒体に関連付けられたスキーマで保存するための手段
を備える、請求項３０に記載の装置。
【請求項３６】
ユーザ感情を電子媒体に関連付けるためのコンピュータプログラム製品であって、前記コンピュータプログラム製品が非一時的コンピュータ可読媒体を備え、前記非一時的コンピュータ可読媒体が、
デバイスのユーザと前記デバイスに統合された生体電位電極アレイとの間の接触を検出し、
前記電子媒体が前記ユーザに対してキャプチャされるか、提示されるか、再生されるか、またはそれらの組み合わせのうちの１つである場合に、前記生体電位電極アレイを介して前記ユーザの皮膚電気データを取得し、
前記取得された皮膚電気データに少なくとも部分的に基づいて前記ユーザ感情を導出し、
前記導出されたユーザ感情を前記電子媒体に関連付ける
ようにプロセッサによって実行可能な命令を記憶する、コンピュータプログラム製品。
【手続補正２】
【補正対象書類名】明細書
【補正対象項目名】００９４
【補正方法】変更
【補正の内容】
【００９４】
[0110]本開示についての以上の説明は、当業者が本開示を作成または使用することができるように提供される。本開示への様々な修正は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願出願の当初の特許請求の範囲に記載された発明を付記する。
[Ｃ１]
ユーザ感情を電子媒体に関連付ける方法であって、
デバイスのユーザと前記デバイスに統合された生体電位電極アレイとの間の接触を検出することと、
前記生体電位電極アレイを介して前記ユーザの皮膚電気データを取得することと、
前記取得された皮膚電気データに少なくとも部分的に基づいて前記ユーザ感情を導出することと、
前記ユーザ感情を前記電子媒体に関連付けることと
を備える方法。
[Ｃ２]
前記デバイスによる前記電子媒体のキャプチャを検出することと、
少なくとも部分的に前記キャプチャを検出することに応答して前記デバイスの前記ユーザと前記生体電位電極アレイとの間の前記接触を検出することと
をさらに備える、Ｃ１に記載の方法。
[Ｃ３]
前記デバイスによる前記電子媒体の再生を検出することと、
少なくとも部分的に前記再生を検出することに応答して前記デバイスの前記ユーザと前記生体電位電極アレイとの間の前記接触を検出することと
をさらに備える、Ｃ１に記載の方法。
[Ｃ４]
前記デバイスによる前記電子媒体の提示を検出することと、
少なくとも部分的に前記提示を検出することに応答して前記デバイスの前記ユーザと前記生体電位電極アレイとの間の前記接触を検出することと
をさらに備える、Ｃ１に記載の方法。
[Ｃ５]
前記デバイス上にインストールされたアプリケーションの起動を検出することと、
少なくとも部分的に前記起動を検出することに応答して前記デバイスの前記ユーザと前記生体電位電極アレイとの間の前記接触を検出することと
をさらに備える、Ｃ１に記載の方法。
[Ｃ６]
前記アプリケーションがカメラアプリケーションである、Ｃ５に記載の方法。
[Ｃ７]
重力に対する前記デバイスの配向を検出することと、
少なくとも部分的に前記配向を検出することに応答して前記デバイスの前記ユーザと前記生体電位電極アレイとの間の前記接触を検出することと
をさらに備える、Ｃ１に記載の方法。
[Ｃ８]
前記配向が横方向配向である、Ｃ７に記載の方法。
[Ｃ９]
前記皮膚電気データを取得することが、
前記検出された接触に少なくとも部分的に基づいて、前記生体電位電極アレイを動的に構成することと、
前記構成された生体電位電極アレイから前記皮膚電気データを取得することと
を備える、Ｃ１に記載の方法。
[Ｃ１０]
前記生体電位電極アレイを動的に構成することが、
前記生体電位電極アレイ内に第１の活性電極エリアを形成するために、少なくとも２つの隣接する電極タイルを電気的に結合すること
を備える、Ｃ９に記載の方法。
[Ｃ１１]
前記ユーザ感情を導出することが、
前記皮膚電気データを複数の感情状態のうちの１つに相関させること
を備える、Ｃ１に記載の方法。
[Ｃ１２]
前記ユーザ感情を前記電子媒体に関連付けることが、
前記ユーザ感情を前記電子媒体のメタデータとして保存すること
を備える、Ｃ１に記載の方法。
[Ｃ１３]
前記ユーザ感情を前記電子媒体に関連付けることが、
前記ユーザ感情を、前記電子媒体に関連付けられたスキーマで保存すること
を備える、Ｃ１に記載の方法。
[Ｃ１４]
前記デバイス上に、前記ユーザ感情を編集するためのユーザインターフェースを提示すること
をさらに備える、Ｃ１に記載の方法。
[Ｃ１５]
前記電子媒体が画像である、Ｃ１に記載の方法。
[Ｃ１６]
前記電子媒体がビデオである、Ｃ１に記載の方法。
[Ｃ１７]
前記電子媒体がオーディオ記録である、Ｃ１に記載の方法。
[Ｃ１８]
前記デバイスが携帯電話である、Ｃ１に記載の方法。
[Ｃ１９]
前記デバイスがカメラである、Ｃ１に記載の方法。
[Ｃ２０]
前記生体電位電極アレイが、
前記デバイスの１つの隅に、前記デバイスの少なくとも側端部に配置される一群の電極
を備える、Ｃ１に記載の方法。
[Ｃ２１]
前記生体電位電極アレイが、
複数の電極群を備え、各電極群が、前記デバイスの４隅のうちの異なる１つに配置され、各電極群が、前記デバイスの少なくとも側端部に配置されている
Ｃ１に記載の方法。
[Ｃ２２]
ユーザ感情を電子媒体に関連付けるためのデバイスが、
プロセッサと、
前記プロセッサと電子通信しているメモリと、
前記メモリに記憶された命令とを備え、前記命令が、
前記デバイスのユーザと前記デバイスに統合された生体電位電極アレイとの間の接触を検出し、
前記生体電位電極アレイを介して前記ユーザの皮膚電気データを取得し、
前記取得された皮膚電気データに少なくとも部分的に基づいて前記ユーザ感情を導出し、
前記ユーザ感情を前記電子媒体に関連付ける
ように前記プロセッサによって実行可能である、デバイス。
[Ｃ２３]
前記命令が、
前記デバイスによる前記電子媒体のキャプチャを検出し、
少なくとも部分的に前記キャプチャを検出することに応答して前記デバイスの前記ユーザと前記生体電位電極アレイとの間の前記接触を検出する
ようにさらに前記プロセッサによって実行可能である、Ｃ２２に記載のデバイス。
[Ｃ２４]
前記命令が、
前記デバイスによる前記電子媒体の再生を検出し、
少なくとも部分的に前記再生を検出することに応答して前記デバイスの前記ユーザと前記生体電位電極アレイとの間の前記接触を検出する
ようにさらに前記プロセッサによって実行可能である、Ｃ２２に記載のデバイス。
[Ｃ２５]
前記命令が、
前記デバイスによる前記電子媒体の提示を検出し、
少なくとも部分的に前記提示を検出することに応答して前記デバイスの前記ユーザと前記生体電位電極アレイとの間の前記接触を検出する
ようにさらに前記プロセッサによって実行可能である、Ｃ２２に記載のデバイス。
[Ｃ２６]
前記ユーザ感情を前記電子媒体に関連付けるための前記命令が、
前記ユーザ感情を前記電子媒体のメタデータとして保存する
ための命令を備える、Ｃ２２に記載のデバイス。
[Ｃ２７]
前記ユーザ感情を前記電子媒体に関連付けるための前記命令が、
前記ユーザ感情を、前記電子媒体に関連付けられたスキーマで保存する
ための命令を備える、Ｃ２２に記載のデバイス。
[Ｃ２８]
前記生体電位電極アレイをさらに備え、前記生体電位電極アレイが、
前記デバイスの１つの隅に、前記デバイスの少なくとも側端部に配置される一群の電極
を備える、Ｃ２２に記載のデバイス。
[Ｃ２９]
前記生体電位電極アレイをさらに備え、前記生体電位電極アレイが、
複数の電極群を備え、各電極群が、前記デバイスの４隅のうちの異なる１つに配置され、各電極群が、前記デバイスの少なくとも側端部に配置されている
Ｃ２２に記載のデバイス。
[Ｃ３０]
ユーザ感情を電子媒体に関連付けるための装置であって、
デバイスのユーザと前記デバイスに統合された生体電位電極アレイとの間の接触を検出するための手段と、
前記生体電位電極アレイを介して前記ユーザの皮膚電気データを取得するための手段と、
前記取得された皮膚電気データに少なくとも部分的に基づいて前記ユーザ感情を導出するための手段と、
前記ユーザ感情を前記電子媒体に関連付けるための手段と
を備える装置。
[Ｃ３１]
前記デバイスによる前記電子媒体のキャプチャを検出するための手段
をさらに備え、前記デバイスの前記ユーザと前記生体電位電極アレイとの間の前記接触を検出するための前記手段が、少なくとも部分的に前記キャプチャを検出することに応答して前記接触を検出する
Ｃ３０に記載の装置。
[Ｃ３２]
前記デバイスによる前記電子媒体の再生を検出するための手段
をさらに備え、前記デバイスの前記ユーザと前記生体電位電極アレイとの間の前記接触を検出するための前記手段が、少なくとも部分的に前記再生を検出することに応答して前記接触を検出する
Ｃ３０に記載の装置。
[Ｃ３３]
前記デバイスによる、前記ユーザに対する前記電子媒体の提示を検出するための手段
をさらに備え、前記デバイスの前記ユーザと前記生体電位電極アレイとの間の前記接触を検出するための前記手段が、少なくとも部分的に前記提示を検出することに応答して前記接触を検出する
Ｃ３０に記載の装置。
[Ｃ３４]
前記ユーザ感情を前記電子媒体に関連付けるための前記手段が、
前記ユーザ感情を前記電子媒体のメタデータとして保存するための手段
を備える、Ｃ３０に記載の装置。
[Ｃ３５]
前記ユーザ感情を前記電子媒体に関連付けるための前記手段が、
前記ユーザ感情を、前記電子媒体に関連付けられたスキーマで保存するための手段
を備える、Ｃ３０に記載の装置。
[Ｃ３６]
ユーザ感情を電子媒体に関連付けるためのコンピュータプログラム製品であって、前記コンピュータプログラム製品が非一時的コンピュータ可読媒体を備え、非一時的コンピュータ可読媒体が、
デバイスのユーザと前記デバイスに統合された生体電位電極アレイとの間の接触を検出し、
前記生体電位電極アレイを介して前記ユーザの皮膚電気データを取得し、
前記取得された皮膚電気データに少なくとも部分的に基づいて前記ユーザ感情を導出し、
前記ユーザ感情を前記電子媒体に関連付ける
ようにプロセッサによって実行可能な命令を記憶する、コンピュータプログラム製品。
【国際調査報告】
2016509276.tif 000021
2016509276.tif 000022